(57)【要約】      （修正有）【課題】平面表示装置を、室内の床面以外に配置する際にその配置作業を容易にする。【解決手段】画像を表示する機能を有する平面状の表示部２１と、前記平面状の表示部２１を室内の所定位置に配置するための配置具と、を備えた平面表示装置２０において、前記配置具に、照明装置を取り付けるための係止具１４と係合可能な被係止具１１を設け、前記被係止具を１１室内の所定位置に配置された係止具１４に装着することにより平面表示装置２０を床面以外の面に配置可能に構成する。【選択図】図１
2004205859.tif 000002
【特許請求の範囲】
【請求項１】
画像を表示する機能を有する平面状の表示部と、前記平面状の表示部を室内の所定位置に配置するための配置具とを備えた平面表示装置において、
前記配置具に、照明装置を取り付けるための係止具と係合可能な被係止具を設け、前記被係止具を室内の所定位置に配置された係止具に装着することにより室内の所定位置に配置することを特徴とする平面表示装置。
【請求項２】
画像を表示する機能を有する平面状の表示部と、前記平面状の表示部を床面に配置するためのスタンドとを備えた平面表示装置において、
前記スタンドの前記表示部を備えた端とは相対する側の端面に、照明装置を取り付けるための係止具と係合可能な被係止具を設け、前記被係止具を、室内の所定位置に配置された係止具に装着することにより室内の所定位置に配置することを特徴とする平面表示装置。
【請求項３】
前記係止具と前記被係止具とを係合させた状態で、前記係止具が配置された面と前記スタンドの前記表示部を備えた端とは相対する側の端面との距離を調節する調節手段を備え、前記調節手段は前記面と前記スタンドとが当接する位置まで調節可能であることを特徴とする請求項２に記載の平面表示装置。
【請求項４】
前記被係止具には、前記係止具を前記被係止具に装着した状態で前記被係止具を回転させる回転手段と、
前記被係止具と前記係止具が配置された面との距離を調節でき、前記回転手段とは別体に設けられ前記回転手段を回転させたときに回転しない調節手段とを備えるとともに、
前記被係止具を前記面から離間する方向に付勢し、その付勢力によって平面表示装置を前記面側に移動させる付勢手段を備えたことを特徴とする請求項１又は請求項２記載の平面表示装置。
【請求項５】
請求項１から請求項４のいずれか一項に記載の平面表示装置において、
他の機器から送信された信号を無線にて受信する無線受信装置を備えたことを特徴とする平面表示装置。
【発明の詳細な説明】
【０００１】
【発明の属する技術分野】
本発明は、平面表示装置に関するものであり、より詳しくは、平面表示装置を天井や壁に取り付ける機構に関するものである。
【０００２】
【従来の技術】
平面表示装置は一般に図６に記載したように構成される。図６は従来の平面表示装置を示す斜視図である。図６において、平面表示装置５０は、所望の画像を表示する機能を有する表示部５１と、平面表示装置５０を床面５６に配置する際に表示部５１を所定の高さに保持するためのスタンド５２とを備えている。
【０００３】
表示部５１には、CRT（cathode ray tube）ディスプレイと比較し、その表示画面に対し垂直な方向の長さ（すなわち、厚み）が薄いディスプレイが用いられるものであり、例えば、液晶ディスプレイ、プラズマディスプレイ、有機EL（electro luminescence）ディスプレイ、無機ELディスプレイ等がこれに該当する。
【０００４】
このような平面表示装置５０は、CRTよりも軽いため、壁や天井といった床面以外の面に特別な補強を施さなくても配置でき、また、表示部が平面状であるため壁や天井から突出する量も小さく抑えられる。したがって、壁や天井に配置して視聴する場合がある。このとき、平面表示装置５０を床面５６以外の面に配置する手法として、主に次に２つがある。
【０００５】
その一つは、図７の斜視図に示すように、スタンド５２に穴を開けて、その穴にボルトを貫通させた後、床面５６以外の面（図７では天井１３）に予め設けておいたナットに前記ボルト５３を締め付け、スタンド５２を床面５６以外の面に固定するものである。
【０００６】
他の一つは、図８の斜視図に示すように、スタンド５２を取り外して、床面５６以外の面に固定するための専用の配置具５４を使用するものであり、配置具５４には、例えばビス５５で床面５６以外の面に平面表示装置を固定する固定端５４ａと、平面表示装置５０を保持している自由端とを有するものが使用される。このような配置方法をとる一例として、特許文献１には平面表示装置を吊り下げた状態で取り付ける吊り下げ機構を備えるものが記載されている。
【０００７】
【特許文献１】
特開平１１−２７６５３０号公報
【０００８】
【発明が解決しようとする課題】
しかし、上記のいずれの例においても、床面以外の面への配置にはビス或いはボルトを締めこむ作業が必要であり、また、この作業だけでは電力を供給できないことから、別途に電源コードを取り付ける作業が必要となる。そのため、配置作業が煩わしく、また、電源コードが垂れ下がることになり配置後の外観も見苦しいという問題があった。
【０００９】
【課題を解決するための手段】
そこで、本発明は、画像を表示する機能を有する平面状の表示部と、前記平面状の表示部を室内の所定位置に配置するための配置具とを備えた平面表示装置において、前記配置具に、照明装置を取り付けるための係止具と係合可能な被係止具を設け、前記被係止具を、室内の所定位置に配置された係止具に装着することにより室内の所定位置に配置することを特徴とする平面表示装置とする。
【００１０】
上記構成の平面表示装置の被係止具を、照明装置を取り付けるための係止具に係合させて床面以外の面に取り付けることにより、一度の配置作業で十分な配置強度の確保及び電力の供給が可能となる。
【００１１】
なお、ここでいう「照明装置を取り付けるための係止具」とは、係止具内に被係止具を係止することによりある程度の荷重を支えるとともに係止具及び被係止具の接点を導通するものをいい、例えば、引掛シーリング（特開平９−２１９１１０号公報参照）やシーリング金具と称されるものが該当する。
【００１２】
また、従来のCRTでは重量が照明装置に比べて著しく重かったため「照明装置を取り付けるための係止具」を用いて床面以外に保持することは不可能であったが、平面表示装置は軽量であるため、所定サイズ以下であれば「照明装置を取り付けるための係止具」が保持可能な限界重量以下の表示装置を製造することができる。
【００１３】
そして、本発明においては、画像を表示する機能を有する平面状の表示部と、前記平面状の表示部を床面に配置するためのスタンドとを備えた平面表示装置において、前記スタンドの前記表示部を備えた端とは相対する側の端面に、照明装置を取り付けるための係止具と係合可能な被係止具を設け、前記被係止具を、室内の所定位置に配置された係止具に装着することにより室内の所定位置に配置することを特徴とする平面表示装置とする。
【００１４】
前記スタンドの前記表示部を備えた端とは相対する側の端面に、照明装置を取り付けるための係止具と係合可能な被係止具を設けることにより、一度の配置作業で十分な配置強度の確保及び電力の供給が可能となるとともに、同一の構成で床面への配置及びそれ以外への配置が可能である。
【００１５】
ところで、平面表示装置は一般に表示部が重い。従って、スタンドの底面と係止具が配置されている室内の面とが離れている場合には、係止具と被係止具とによって固定した箇所にモーメントが加わり、場合によっては被係止具を破損しかねない。
【００１６】
そこで、前記係止具と前記被係止具とを係合させた状態で、前記係止具が配置された面と前記スタンドの前記表示部を備えた端とは相対する側の端面との距離を調節する調節手段を備え、前記調節手段は前記面と前記スタンドとが当接する位置まで調節可能であることを特徴とする平面表示装置とする。
【００１７】
この構成によれば、スタンドが水平になるように平面表示装置を配置する場合に、係止具が配置された面とスタンドの底面を当接するように調節することで、モーメントをスタンドの底面によって受けることができるため、安定して配置することが可能となる。
【００１８】
この安定配置を可能とする平面表示装置は、より良好には、前記被係止具には、前記係止具を前記被係止具に装着した状態で前記被係止具を回転させる回転手段と、前記回転手段とは別体に設けられ前記被係止具と前記係止具が配置された面との距離を調節でき、前記回転手段を回転させたときに回転しない調節手段と、前記被係止具を前記面から離間する方向に付勢し、その付勢力によって平面表示装置を前記面側に移動させうる付勢手段と、を備えるものとする。
【００１９】
この構成によれば、被係止具を係止具に装着した後、係止具の配置された面とスタンドの底面とを当接させる動作を付勢手段により行えるため、上記動作を自動的に行うことができる。
【００２０】
上記の平面表示装置は、何れも、係止具と被係止具とを装着することにより平面表示装置を室内の所定の位置に配置することができるが、例えばテレビジョン受像機のように平面表示装置に表示するための情報を外部から伝達することが多い。そこで、他の機器から送信された信号を無線にて受信する無線受信装置を備えるようにすれば、受信用の配線を接続する必要が無く、さらに配置が容易と成る。
【００２１】
【発明の実施の形態】
（実施の形態１）
実施の形態１について、図１を参照して説明する。図１は本発明の実施の形態１にかかる平面表示装置２０を、床面以外の面の代表例である天井１３に取り付けられた係止具１４に装着する様子を示す斜視図である。
【００２２】
平面表示装置２０は、図１に示すように表示部２１とスタンド２２を備えている。表示部２１は、主に画面１８と画面１８を覆う筐体１９とから構成されており、画面１８の画像を表示する面とは相対する側の面（以下、本明細書では背面と称する）及び画面１８の外周を筐体１９が覆う構成をしている。
【００２３】
また、スタンド２２は、棒状体の一端に、表示部２１の背面に装着され、かつ水平軸を回動軸として表示部２１を回動する回動体が備えるとともに、他端に、床面５６に平面表示装置を安定して配置するための平面状の底面２３を有する底体４１が備えられた構成をしている。
【００２４】
そして、底面２３には、照明装置を取り付けるための係止具１４（以下、係止具１４と称する）が挿入可能な円筒状の孔１０が配置され、孔１０の内部には一対の鍵状の接点１２、１２を有する被係止具１１が配置されている。
【００２５】
ここで、係止具１４について説明すると、係止具１４は、天井１３や壁に配置されるもので、通常は蛍光燈等の照明器具を取り付けるために用いられるものである。その構成は、内部に電源と接続された接点を有する円柱状或いは直方体状の基体１５に、一対の鍵状の接点１２、１２を挿入可能な一対の挿入口１６、１６が配置されており、この挿入口１６、１６の中に接点１２、１２を挿入して回動することにより、接点１２、１２が、係止具１４内部の電源側接点（不図示）に係合され挿入口１６、１６から脱落しないようになる。このようにして、接点１２、１２を有する装置が天井１３から脱落しないようにするとともに、接点１２、１２を介して該装置に電力を供給することを可能とするものである。
【００２６】
平面表示装置２０を係止具１４に係止する場合もその係止動作は照明装置の場合と同様である。すなわち、平面表示装置２０の底面２３を天井に向けて配置し、基体１５の外周が孔１０の内周に収まるように平面表示装置２０の位置を調整する。そして、接点１２、１２が挿入口１６、１６に挿入可能なように平面表示装置２０の位置を調整し、平面表示装置２０を持ち上げ、接点１２、１２を挿入口１６、１６に挿入する。その後、平面表示装置２０を回動させて接点１２、１２を回動させると、平面表示装置２０は係止具１４に係止され落下しなくなるとともに、接点１２、１２を介して電力が供給可能な状態となる。従って、電源の接続と、平面表示装置２０を天井に固定する動作を、複数の動作工程に分けず、一度の配置作業で完了することができる。
【００２７】
なお、上記においては、天井に配置した例について説明したが、その配置位置は天井に限られるものではなく、壁、床、家具などに配置しても良い。また、係止具と被係止具の構成は、上記示したものに限られず、平面表示装置の重さを保持しうるものであれば他の構成であっても同様に使用可能である。
【００２８】
（実施の形態２）
実施の形態１においては、スタンド２２の底面２３に被係止具１１を配置した場合について説明したが、被係止具１１の配置位置はスタンド２２に限られるものではない。
【００２９】
スタンド２２以外によって平面表示装置を天井等に配置する場合を実施の形態２において説明する。なお、実施の形態２の説明において、実施の形態１と同一の構成については同一の符号を付し説明を省略する。
【００３０】
図２は実施の形態２にかかる平面表示装置３０を背面側からみた斜視図である。図２に示すとおり、表示部２１の背面にスタンドに代えて取付体２４が配置されている。この取付体２４は、棒状の構造体の一端に、表示部２１の背面に装着され、かつ水平軸を回動軸として表示部２１を回動させる回動体２６が備えられるとともに、他端に被係止具１１が備えられる構成をしている。
【００３１】
そして、表示部２１の背面にはハンドル２５が配置されており、これを握ってハンドル２５を画面１８の配置側又は背面側に動かすと、それに連動して、回動体２６の水平軸を軸心として容易に表示部２１を回動動作することができる構成である。（なお、このハンドル２５は実施の形態１には記載していないが、実施の形態１にも同様に備えられていてもよいのはもちろんである。）
以上のとおり平面表示装置３０を構成し、被係止具１１を天井１３等に配置した係止具１４に挿入して固定する。この固定動作は実施の形態１に示した動作と同様である。被係止具１１を係止具１４に係合させることにより、電源の接続と、平面表示装置を天井に固定する動作を、複数の動作工程に分けず、一度の配置作業で完了することができる。
【００３２】
（実施の形態３）
実施の形態１にはさらに改良を加えうる。この改良を加えた例を、実施の形態３として図３から図５を参照して説明する。
【００３３】
まず、実施の形態３にかかる発明の背景について説明すると、照明装置を取付けるための係止具は、係止具が配置されている室内の面（例えば天井１３）から挿入口１６、１６が設けられている面までの距離が一定ではない。従って、被係止具１１を係止具１４に係合させたときに、平面表示装置２０の底面２３は天井１３と離間して配置される場合がある。
【００３４】
一方、平面表示装置２０は一般に画面１８の重量が重いことから、背面側よりも画面１８配置側が重い。そのため、天井１３に平面表示装置２０を配置した場合は、平面表示装置２０の重心が係止具１４と被係止具１１との係合箇所の鉛直下方に向かう方向にモーメントが加わることになる。このようなモーメントが発生すると、接点１２、１２に不意な力が加わることになり強度的な問題が生じ得る。
【００３５】
そこで、例えば図３に示すように構成して、天井１３に底面２３が接触するようにすることによって、重量バランスの問題から発生するモーメントを底面２３と天井１３との接触により受けて、接点１２、１２にかかる強度的な問題を解決しようというのである。
【００３６】
図３は、その解決手段を備えた平面表示装置４０にかかる断面図である。図３を用いて実施の形態３の説明をすすめる。なお、実施の形態１と同一の構成については、同一の符号を付し重複する説明は省略する。
【００３７】
図３において、スタンド２２は、実施の形態１に記載した構成に加えて、接点１２、１２を有する被係止具１１を表示部２１（不図示）側へ付勢する付勢手段２６と、被係止具１１を付勢手段２６の付勢力に抗して孔１０の開口側へ移動可能に形成され、被係止具１１と係止具１４が配置された面との距離を調整できる調整手段２７と、被係止具１１を係止具１４に挿入した際に被係止具１１を回転させる回転手段２８とが設けられている。
【００３８】
各構成について詳述すると、孔１０の形状は、有底円筒状の孔の開口部周縁から該円筒状の孔の中心側に向かって鍔１０ｂが延設されることによって、開口部の外径が他の部分に比べて狭い形状をしている。
【００３９】
そして、付勢手段２６は鍔１０ｂが固定端となるように取り付けられており、例えばコイルばねや板ばね等の周知の弾性体が用いられる。付勢手段２６の付勢力は、平面表示装置４０全体を移動させるに足るものであり、外力を受けていない状態では被係止具１１の表示部側の面１１ｂが孔１０の底面１０ｃに当接する長さである。また、付勢手段２６の鍔１０ｂ側端とは相対する側の端には、被係止具１１と当接する当接体２９が配置されており、当接体２９の被係止具１１と当接する面は摩擦力が働き難い円滑な面に形成されている。
【００４０】
被係止具１１は、孔１０の内周と略同程度の外周を備えた円盤状に形成されており、その外周近傍に前記当接体２９が当接される。また、被係止具１１の表示部側の面１１ｂからは、被係止具１１を回転させる回転手段２８が延設されている。
【００４１】
この回転手段２８は、棒状体の一端が被係止具１１に接合しており、他端は手でつまみやすい形状のツマミ状部３４が形成されている。そして、一端と他端との間の棒状体３６は、スタンド２２の底面２３と相対する面３７から孔１０の底面１０ｃまで貫通するネジ孔３５を、該ネジ孔３５に設けられた雌ネジとは螺合することなく貫通し配置されている。
【００４２】
そして、回転手段２８の棒状体３６及びツマミ状部３４に対して半径方向の周囲を覆うように、被係止具１１と係止具１４が配置された面との距離を調整する調整手段２７が配置される。
【００４３】
調整手段２７は、回転手段２８とは一方を回転させたときに他方が回転しない状態に嵌め合わされており、棒状体３６の外周に対向している部分の外周は、ネジ孔３５に配置されている雌ネジと螺合する雄ネジが形成されている。以上が各構成の詳細である。
【００４４】
次に、これらを用いて、被係止具１４を係止具１１に装着し、その後、平面表示装置４０の底面を係止具１１が配置されている面に当接させるよう位置調整を行う際の動作について説明する。
【００４５】
まず、図４に示すように被係止具１４の接点１２、１２を係止具１１の挿入口１６、１６に挿入する前に調整手段２７を回転させ、付勢手段２６が最も縮んだ状態にする。このとき、被係止具１１には、付勢手段２６により平面表示装置４０を係止具１１が配置されている面に移動させることができる程度以上の力を受ける。
【００４６】
そして、被係止具１４の接点１２、１２を係止具１１の挿入口１６、１６に挿入し、回転手段２８を回転させる。回転手段２８を回転させると、被係止具１１が当節体２９に当接しつつ回転し、接点１２、１２は係止具１１内の所定位置にまで移動し、被係止具１１の接点と接合する。このとき、被係止具１１は付勢手段２６の付勢力を受けたままである。
【００４７】
この状態にして、付勢手段２６が伸長する方向に調整手段２７を回転させる。すると、平面表示装置４０は、付勢手段２７の付勢力により徐々に係止具１４の配置されている面の方向に移動する。そしてさらに、付勢手段２６が伸長する方向に調整手段２７を回転させると、ある程度回転させた時点で、図５に示すように、平面表示装置４０の底面２３は係止具１１の配置されている面と当接することになる。
【００４８】
このようにして、平面表示装置４０と係止具１１の配置されている面とが当接することにより、平面表示装置４０の重心が被係止具１４の鉛直下方にない場合であっても、重心のずれによって発生するモーメントを底面２３全体で受けるため、安定して平面表示装置４０を保持することができる。
【００４９】
なお、実施の形態３に記載した、被係止具を備えたスタンドの底面と係止具を備えた面とを調整容易にする構成は、照明装置や、プロジェクター等の他の機器にも応用し得る。
【００５０】
（実施の形態４）
実施の形態１から実施の形態３に記載した平面表示装置は、例えばテレビジョン受像機のように、平面表示装置以外の機器の発振する信号に基づいて所望の表示を行う装置として使用できる。
【００５１】
このような場合、上記の実施の形態に記載した平面表示装置に新たに外部からの信号を無線にて受信する無線受信装置を配置する。これによって、外部からの信号を無線にて受信し、受信した画像を平面表示装置に表示させるように構成すれば、落下防止、電力供給に加えて表示情報の受信ができることになるため、平面表示装置を配置する際の作業性がさらに向上する。
【００５２】
なお、ここでいう無線受信装置の具体例としては、テレビチューナ、無線ＬＡＮ等が挙げられる。
【００５３】
【発明の効果】
以上のとおり、本発明によれば、室内の床面以外の面に平面表示装置を配置する際に、係止具と被係止具を係合させる動作のみで、平面表示装置の落下防止及び電力供給が可能となり、配置作業が容易となる。
【図面の簡単な説明】
【図１】本発明の実施の形態１にかかる斜視図。
【図２】本発明の実施の形態２にかかる斜視図。
【図３】本発明の実施の形態３にかかる断面図。
【図４】本発明の実施の形態３にかかる断面図。
【図５】本発明の実施の形態３にかかる断面図。
【図６】本発明の従来の技術にかかる斜視図。
【図７】本発明の従来の技術にかかる斜視図。
【図８】本発明の従来の技術にかかる斜視図。
【符号の説明】
１０  孔
１１  被係止具
１２  接点
１３  天井
１４  係止具
２０、３０、４０  平面表示装置
２１  表示部
２２  スタンド
２３  底面
２４  取付体
２５  ハンドル
２６  回動体
２７  調整手段
２８  回転手段
２９  当接体
３４  ツマミ状部
３５  ネジ孔
３６  棒状部
【図１】
2004205859.tif 000003
【図２】
2004205859.tif 000004
【図３】
2004205859.tif 000005
【図４】
2004205859.tif 000006
【図５】
2004205859.tif 000007
【図６】
2004205859.tif 000008
【図７】
2004205859.tif 000009
【図８】
2004205859.tif 000010